【手続補正書】
【提出日】平成22年8月10日(2010.8.10)
【手続補正１】
【補正対象書類名】特許請求の範囲
【補正対象項目名】全文
【補正方法】変更
【補正の内容】
【特許請求の範囲】
【請求項１】
本明細書中に記載される発明。
【手続補正２】
【補正対象書類名】明細書
【補正対象項目名】００１１
【補正方法】変更
【補正の内容】
【００１１】
本発明は、例えば、以下を提供する：
（項目１）
創傷を処置するための止血デバイスであって、以下：
内部と外部とを有する少なくとも１つのエンクロージャを形成する、少なくとも１つの有孔膜；
該エンクロージャの該内部に収容される複数の吸収性ポリマー粒子であって、該ポリマー粒子は、集合してポリマー塊を形成し、そして、流体の存在下で膨潤するように構成される、ポリマー粒子；および
該エンクロージャ内に収容される複数の芯材要素であって、該芯材要素は、該ポリマー塊の内側領域内に流体を輸送し得る、芯材要素
を備える、デバイス。
（項目２）
上記少なくとも１つの有孔膜が、第１の膜と第２の膜とを備え、該第１の膜および該第２の膜は、上記エンクロージャを形成するように互いに密封される、項目１に記載のデバイス。
（項目３）
上記有孔膜が微小孔膜である、項目１に記載のデバイス。
（項目４）
上記ポリマー粒子がポリアクリレートを含む、項目１に記載のデバイス。
（項目５）
上記ポリマー粒子がナトリウムポリアクリレートを含む、項目１に記載のデバイス。
（項目６）
上記ポリマー粒子がポリアニオン性ビーズを含む、項目１に記載のデバイス。
（項目７）
上記芯材要素が芯材繊維を含む、項目１に記載のデバイス。
（項目８）
上記芯材繊維が、各々、１０〜１５０ミクロンの範囲の直径を有する、項目７に記載のデバイス。
（項目９）
上記芯材要素が親水性物質を含む、項目１に記載のデバイス。
（項目１０）
上記有孔膜が弾性物質から形成される、項目１に記載のデバイス。
（項目１１）
上記有孔膜が、ナイロン、Ｌｙｃｒａ、ポリエチレンテレフタラートおよび／またはポリプロピレンから形成される、項目１に記載のデバイス。
（項目１２）
上記有孔膜が、０．１５ｍｍ〜１．０ｍｍの平均孔サイズを有する孔を備える、項目１に記載のデバイス。
（項目１３）
上記有孔膜が、０．２ｍｍ〜０．５ｍｍの平均孔サイズを有する孔を備える、項目１に記載のデバイス。
（項目１４）
上記ポリマー粒子が、上記有孔膜の内面に接着される、項目１に記載のデバイス。
（項目１５）
上記ポリマー粒子が、界面活性剤および／または水溶性接着剤を用いて、上記有孔膜の上記内面に接着される、項目１４に記載のデバイス。
（項目１６）
上記ポリマー粒子が、上記エンクロージャ内に位置する物質の細片に接着される、項目１に記載のデバイス。
（項目１７）
上記ポリマー粒子が、界面活性剤および／または水溶性接着剤を用いて、上記エンクロージャ内に位置する物質の細片に接着される、項目１６に記載のデバイス。
（項目１８）
創傷腔内に直接挿入されるように構成され、かつサイズ決めされた、項目１に記載のデバイス。
（項目１９）
上記流体が血液を含む、項目１に記載のデバイス。
（項目２０）
創傷を治療するための止血デバイスであって、以下：
内部と外部とを有する少なくとも１つのエンクロージャを画定する、少なくとも１つの有孔膜；および
該少なくとも１つのエンクロージャの該内部に収容される複数の止血ユニット
を備え、
該止血ユニットの各々は、集合してポリマー塊を形成し、そして、流体の存在下で膨潤するように構成される、複数のポリマー粒子を含む、デバイス。
（項目２１）
上記止血ユニットの各々がさらに、上記ポリマー塊の内側領域内に流体を輸送し得る芯材要素を備える、項目２０に記載のデバイス。
（項目２２）
第１の有孔膜と第２の有孔膜とを備える、項目２０に記載のデバイスであって、該第１の有孔膜および該第２の有孔膜は、複数のコンパートメントを形成するように互いに密封され、該コンパートメントの各々が止血ユニットを含む、デバイス。
（項目２３）
上記止血ユニットの各々がさらに、ポリマー粒子を含む第２のエンクロージャを画定する少なくとも１つの有孔膜を備える、項目２０に記載のデバイス。
（項目２４）
上記少なくとも１つの有孔膜が微小孔膜である、項目２０に記載のデバイス。
（項目２５）
上記ポリマー粒子がポリアクリレートを含む、項目２０に記載のデバイス。
（項目２６）
上記ポリマー粒子がナトリウムポリアクリレートを含む、項目２０に記載のデバイス。
（項目２７）
上記ポリマー粒子がポリアニオン性ビーズを含む、項目２０に記載のデバイス。
（項目２８）
上記芯材要素が芯材繊維を含む、項目２１に記載のデバイス。
（項目２９）
上記芯材繊維が、各々、１０〜１５０ミクロンの範囲の直径を有する、項目２８に記載のデバイス。
（項目３０）
上記芯材要素が親水性物質から形成される、項目２１に記載のデバイス。
（項目３１）
上記有孔膜が弾性物質から形成される、項目２０に記載のデバイス。
（項目３２）
上記有孔膜が、ナイロン、Ｌｙｃｒａ、ポリエチレンテレフタラートおよび／またはポリプロピレンから形成される、項目２０に記載のデバイス。
（項目３３）
上記有孔膜が、０．１５ｍｍ〜１．０ｍｍの平均孔サイズを有する孔を備える、項目２０に記載のデバイス。
（項目３４）
上記有孔膜が、０．２ｍｍ〜０．５ｍｍの平均孔サイズを有する孔を備える、項目２０に記載のデバイス。
（項目３５）
上記ポリマー粒子が、上記膜の内面に接着される、項目２０に記載のデバイス。
（項目３６）
上記ポリマー粒子が、界面活性剤および／または水溶性接着剤を用いて、上記膜の上記内面に接着される、項目３５に記載のデバイス。
（項目３７）
上記ポリマー粒子が、上記エンクロージャ内に位置する物質の細片に接着される、項目２０に記載のデバイス。
（項目３８）
上記ポリマー粒子が、界面活性剤および／または水溶性接着剤を用いて、上記物質の細片に接着される、項目３７に記載のデバイス。
（項目３９）
創傷腔内に直接挿入されるように構成され、かつサイズ決めされた、項目２０に記載のデバイス。
（項目４０）
上記流体が血液を含む、項目２０に記載のデバイス。
（項目４１）
創傷を治療する方法であって、以下：
１以上の有孔膜により形成される少なくとも１つのエンクロージャ内に複数のポリマー粒子を収容する止血デバイスを形成する工程であって、該ポリマー粒子は、集合してポリマー塊を形成し、流体の存在下で膨潤するように構成され、該止血デバイスはさらに、該エンクロージャ内に収容される複数の芯材要素を含み、該芯材要素は、該ポリマー塊の内側領域内に流体を輸送し得る、工程；および
該止血デバイスを創傷腔内に挿入する工程
を包含する、方法。
（項目４２）
上記デバイスが、創傷腔内に直接挿入される、項目４１に記載の方法。
（項目４３）
上記デバイスが、さらなるデバイスと共に創傷腔内に挿入される、項目４１に記載の方法。
（項目４４）
上記流体が血液を含む、項目４１に記載の方法。
（項目４５）
上記複数の吸収性ポリマー粒子の少なくとも一部分が、上記複数の芯材要素の少なくとも一部分に接着される、項目１に記載のデバイス。
（項目４６）
上記複数のポリマー粒子の少なくとも一部分が、上記芯材要素に接着される、項目２１に記載のデバイス。
（項目４７）
上記複数のポリマー粒子の少なくとも一部分が、上記芯材要素の少なくとも一部分に接着される、項目４１に記載の方法。
発明の要旨
本発明は、創傷を処置するための止血デバイスであって、内部と外部とを有する少なくとも１つのエンクロージャを形成する少なくとも１つの有孔膜；このエンクロージャの内部に収容される複数の吸収性ポリマー粒子であって、集合してポリマー塊を形成し、そして、流体の存在下で膨潤するように構成された、ポリマー粒子；および、エンクロージャ内に収容される複数の芯材要素であって、ポリマー塊の内側領域内に流体を輸送し得る、芯材要素を備える、デバイスに関する。